(57)【要約】【課題】使用しない時の保管スペースを削減するとともに広い無菌の清浄空間を簡便に構成し、また、無菌室は患者が終日治療、看護を受け日常生活する場でもあるので圧迫感、閉鎖感、孤独感が軽減され静かでプライバシーの守られる居住空間となる無菌室を提供すること。【解決手段】既設の室内を仕切って形成する無菌室において、上下を天井及び床面に、両側を壁面に接するように間仕切り２を配設して、室内を仕切って無菌室１を形成するとともに、この無菌室１内に、吸い込んだ空気を浄化し、清浄空気として吐き出すクリーンユニット３を配備する。【選択図】  図１
2004180724.tif 000002
【特許請求の範囲】
【請求項１】
既設の室内を仕切って形成する無菌室において、上下を天井及び床面に、両側を壁面に接するように間仕切りを配設して、室内を仕切って無菌室を形成するとともに、該無菌室内に、吸い込んだ空気を浄化し、清浄空気として吐き出すクリーンユニットを配備してなることを特徴とする無菌室。
【請求項２】
間仕切りを、伸縮式柱と、該伸縮式柱の上面に天井面と密着するように配備したカーテンレールと、該カーテンレールに吊架したカーテンとで構成したことを特徴とする請求項１記載の無菌室。
【請求項３】
クリーンユニットは、無菌室外より空気を吸引し、無菌室内を陽圧に保つことを特徴とする請求項１又は２記載の無菌室。
【発明の詳細な説明】
【０００１】
【発明の属する技術分野】
本発明は、既設の室内を仕切って形成する無菌室に関し、特に室内を無菌状態にし、患者を治療することが可能な環境を簡単に構成することができる無菌室に関するものである。
【０００２】
【従来の技術】
近年医療の発展は目覚しいものがあるが、病院内は薬剤の多重使用により、耐性菌に汚染され、患者も抗癌剤、抗生剤等で免疫力が低下し、所謂易感染患者となり院内感染等の被害が懸念されてる。
無菌室とは、空気中の浮遊微粒子、微生物、菌、さらに必要に応じて、温湿度、圧力もコントロールされた空間をいい、このような無菌室の中で生活することによって易感染患者を院内感染から保護されることとなる。
従来の無菌室は、既設の個室全体を改造したり新設の病院内に、無菌ユニットを組み込んだ専用無菌室の場合のほか、ベッドだけを囲む無菌ブースタイプのものが存在する。
【０００３】
部屋全体を無菌室とする専用無菌室の場合は、その改築工事に多大な費用がかかるほか、無菌室を必要とする患者数が無菌室数を下回る場合に不経済である。
また、ベッドのみを囲む簡易型の無菌ブースタイプのものは、無菌空間を必要とする患者の生活空間を極端に狭いものとする等の問題がある。
【０００４】
そこで、近年、天井部と側壁としてのカーテンを有した組立式の無菌室ユニットが利用されている。
【０００５】
このような組立式の無菌室ユニットは、天板と、該天板から垂下されるカーテンと、移動用の車を下端に取り付けた支柱と、クリーンユニットからなり、天板には照明装置、クリーンユニットは無菌室ユニット内に清浄空気を吹き出すようファンとチャンバーを介して連絡される高性能フィルタからなり、無菌室ユニット内の清浄度を保つように構成されている（例えば、特許文献１〜３参照。）。
【０００６】
【特許文献１】
特開平０８−２７０９９９号公報
【特許文献２】
特開平０９−２２２２４７号公報
【特許文献３】
特開平０６−０２３０００号公報
【０００７】
【発明が解決しようとする課題】
しかし、この無菌室ユニットの場合、支柱下端に備えた車により移動可能に構成されているもの、クリーンユニットのほか、無菌室ユニットには天板をも備えるため無菌室ユニットそのままでは使用しない時の保管スペースが大きくなるとともに、天板の大きさで決められた範囲においてしか無菌の清浄空間を提供することができない等の問題があった。
【０００８】
本発明はかかる問題点に鑑み、使用しない時の保管スペースを削減するとともに広い無菌の清浄空間を簡便に構成し、また、無菌室は患者が終日治療、看護を受け日常生活する場でもあるので圧迫感、閉鎖感、孤独感が軽減され静かでプライバシーの守られる居住空間となる無菌室を提供することを目的とする。
【０００９】
【課題を解決するための手段】
上記目的を達成するため、本発明の無菌室は、既設の室内を仕切って形成する無菌室において、上下を天井及び床面に、両側を壁面に接するように間仕切りを配設して、室内を仕切って無菌室を形成するとともに、該無菌室内に、吸い込んだ空気を浄化し、清浄空気として吐き出すクリーンユニットを配備してなることを特徴とする。
【００１０】
この無菌室は、既設の室内を間仕切る際に、室内の既設の壁面と天井面を利用して間仕切るようにするから無菌スペースを室内の広さに応じて自由に変更することができる。
【００１１】
この場合において、間仕切りを、伸縮式柱と、該伸縮式柱の上面に天井面と密着するように配備したカーテンレールと、該カーテンレールに吊架したカーテンとから構成することができる。
【００１２】
これにより、無菌室の間仕切りを伸縮式の柱を用いて行うようにするからその組立が容易で、非力な女性である看護婦のみによっても行うことができる。
【００１３】
また、クリーンユニットは、無菌室外より空気を吸引し、無菌室内を陽圧に保つようにすることができる。
【００１４】
これにより、無菌室内を常時クリーンな環境に保持することができる。
【００１５】
【発明の実施の形態】
以下、本発明の無菌室の実施の形態を図面に基づいて説明する。
【００１６】
図１乃至図２は、本発明の無菌室を示す。
無菌室１は、室内を無菌エリア４と一般エリア５に間仕切る間仕切り２とクリーンユニット３からなり、無菌エリア４に配備したクリーンユニット３によって室内の無菌エリア４を清浄空間に保つものである。
【００１７】
間仕切り２は図３に示す間仕切りユニット２ａを図１の例では２つ使って既設の室内を無菌エリア４と一般エリア５に仕切るものである。
【００１８】
間仕切り２は、伸縮式柱２０、カーテンレール２２、カーテン２１からなり、伸縮式柱２０は、中空の下部ポール２０ａと該下部ポール２０ａの内径より若干小なる外径をもつ上部ポール２０ｂからなり、それぞれのポールは、下部ポール２０ａと上部ポール２０ｂの接合部と逆の端部に床面・天井面に当接する床面当接座２０ｃ、天井面当接座２０ｄを配備する。
天井面当接座２０ｄには、カーテンレール２２を嵌合せしめるレール嵌合溝２０ｆを形成する。
【００１９】
この伸縮式柱２０は、上部ポール２０ｂに多数の位置決め孔２０ｇを穿孔し、下部ポール２０ａの上部ポール２０ｂとの接続端に配備した位置決めピン２０ｈによってレール嵌合溝２０ｆに嵌合したカーテンレール２２を天井面間近の位置で固定し、下部ポール２０ａに備えた周知構造の伸縮機構によって伸長せしめカーテンレール２２を天井面に当接せしめるものである。
【００２０】
カーテンレール２２は、断面コ字状のレール本体２２ａと該レール本体２２ａの両下端に突出せしめたカーテン吊り具２３の吊り具本体２３ａの上部に配備したローラ２３ｂを載置する下端突出部を２２ａ’と、レール本体２２ａの上面に配設し、天井面との隙間を塞ぎ気密を確保する確保するパッキン２２ｂからなる。
２２ｃは、カーテン吊り具２３とカーテン２１との間にできる隙間を塞ぐノレンカーテンを示し、カーテンレール２２の全長に亘って取り付けられる。
２２ｄは、伸縮式柱２０の天井面当接座２０ｄの位置決めをし、左右へのズレを抑制するためのストッパを示す。
【００２１】
また、カーテン２１は、通常は透明のビニールカーテン２１ａからなり、上部にカーテン吊り具２３の吊り具本体２３ａ下部に取り付けたカーテンフック２３ｃの数に応じた吊下孔２１ｂを備え、下端には錘２１ｃを配備してなる。
カーテン２１の幅は、カーテンレール２２の幅よりもｌ大きく、例えば、１００ｍｍ程度大きなものを使用し、カーテンレール２２同士を直列に繋ぐ場合（図７（ａ）参照）や壁に突き当てる場合（図７（ｂ）参照）のラップ代として活用し、外部からの塵埃の侵入を防止する。
【００２２】
２１ｄは、後述するクリーンユニット３の吸気ホース１１ｂを通すために形成する切り込みを示し、図６（ｃ）の如く利用する。
【００２３】
クリーンユニット３は、筐体１０の内部に吸引ファン１２と該吸引ファン１２の下流にプレフィルタ１４、上流にメインフィルタ１３を備え、プレフィルタ１４の下流に吸引孔１１を設け、吸引ファン１２によって吸引された空気は、メインフィルタ１３を通り、吹出口１５を介し、無菌エリア４に排出される。
【００２４】
吸引口１１は、その位置、形状を特定するものではないが、床面のゴミから菌が検出される場合が多いことに鑑み、一般には筐体１０の下面に下部吸引口１１ｃとして設けられる。
下部吸引口１１ｃは、筐体１０の下面に備えたキャスター１６によって生じる床面との隙間によって空気を吸引する。
なお、この下部吸引口１１ｃにはシャッター等の閉鎖装置を備えることが好ましい。
【００２５】
また、吸引口１１は、筐体１０の側面に設けたホース接続口１１ａに、吸引ホース１１ｂを接続し、吸引ホース１１ｂの開放端を室内の一般エリア５に置き、一般エリアの空気を吸引せしめ、浄化後無菌エリア４に排出するようにしても良い。
この場合、無菌エリア４は、一般エリア５に比べ陽圧となり、空気の流れは無菌エリア４から一般エリア５に向かうこととなり一般エリア５から菌が流入することを有効に防止する。
吸引ホース１１ｂを接続するホース接続口１１ａは、下部吸引口１１ｃと同様、シャッター又はストップバルブ等の閉鎖装置を備えることが好ましい。
【００２６】
吹出口１５は、無菌エリア４内の全体を循環させるための上部吹出口１５ａと、患者のベッドに向け吹き出す正面吹出口１５ｂを備えることが好ましい。
【００２７】
メインフィルタ１３は、殺菌ＨＥＰＡフィルタ等の高性能フィルタを用い、無菌エリア４内をクラス１００００以下の清浄空間に保つようにするものである。
【００２８】
上記構成において、既設の個室に無菌室を必要とする患者を入院させる際、間仕切りユニット２ａを複数利用し個室内を無菌エリア４と一般エリア５に区分する。
【００２９】
間仕切りユニット２ａは、１ユニットが上述したとおり、伸縮式柱２０、カーテン２１及びカーテンレール２２からなり、カーテン２１及び必要に応じてカーテンレール２２を、隣接するユニットや壁との気密性を保持するのために少しラップさせて設置し、通常２〜３ユニットを使い、看護婦や看護師２人で床から天井までの個室を分割する作業を２０分程度で作ることができる。
【００３０】
また、透明カーテン２１ａの内側に発塵性の無い不透明な２重カーテンを取り付けることにより、患者のプライバシーを守るようにすることもできる。
【００３１】
無菌エリア４には、クリーンユニット３のほか、べッド、手洗い、便所（既設）無菌水装置が含まれ、患者にとっての生活空間を形成し、一般エリア５には個室入口、付き添い用のソファー（兼簡易ベッド）等が含まれる。
【００３２】
無菌エリア４は、クリーンユニット３によりクリーン化されるが、クリーン化を確実にする目的と、カーテンの隙間より一般エリア５の汚染された空気が無菌エリア４内に侵入しないように、クリーンユニット３の吸引ホース１１ｂを介して一般エリア５より一部の空気を吸引し、無菌エリア４を陽圧にし、その陽圧空気を一般エリア５に流すように運転する。このために、カーテン２１ａと床面との間には２〜３ｃｍ程度の隙間ｍを存して取り付けることが好ましい。
【００３３】
クリーンユニット３のメインフィルタ１３は、一般に菌をゴミと一緒に捕獲するだけでは菌は死滅しないため、高性能の殺菌ＨＥＰＡフィルタを用いて菌を死滅せしめ、吹出口１５を上部吹出口１５ａと正面吹出口１５ｂとした乱流方式で、ベッド周囲の空きスペースどこにでも設置可能とするものである。
【００３４】
この際、既設の壁や天井面を無菌エリア内で利用することとなるが、これら既設の環境表面からの細菌汚染に対する安全性は確保されている。
【００３５】
以上、本発明の無菌室について、その実施例に基づいて説明したが、本発明は上記実施例に記載した構成に限定されるものではなく、その趣旨を逸脱しない範囲において適宜その構成を変更することができるものである。
【００３６】
【発明の効果】
本発明の無菌室によれば、既設の室内を間仕切る際に、室内の既設の壁面と天井面を利用して間仕切るようにするから、無菌スペースを室内の広さに応じて自由に変更することができるとともに、無菌室の設置コストを著しく低減することができる。
また、この無菌室は、組立式簡易型のため、既設の個室を、無菌室と一般患者用の病室のどちらの用途にも使え、その時々による無菌室を必要とする患者に適切に無菌室による治療を施すことができる。
また、生活空間としての無菌室が簡易に確保できる上、同室内に透明カーテン越しに家族が宿泊できるとともに、従来の無菌室と比較して、患者、家族両者の心のケアが容易に可能となる。
【００３７】
また、間仕切りを、伸縮式柱と、該伸縮式柱の上面に天井面と密着するように配備したカーテンレールと、該カーテンレールに吊架したカーテンで構成する時は、その組立が簡便かつ速やかに行うことができる。
【００３８】
また、クリーンユニットの吸引の一部を、無菌室外より吸引し、無菌室内を陽圧に保つようにする時は、無菌室外からの菌を無菌室内に侵入することを有効に防ぐことができる等の効果を有する。
【図面の簡単な説明】
【図１】本発明の無菌室の平面図を示す。
【図２】本発明の無菌室の側面図を示す。
【図３】本発明の間仕切りの正面図を示す。
【図４】本発明の間仕切りに使用する伸縮式柱を示し、（ａ）は、その正面図を（ｂ）は、その平面図を示す。
【図５】本発明の間仕切りに使用するカーテンレールを示し、（ａ）は、一部断面の正面図を（ｂ）は、一部断面の側面図を示す。
【図６】本発明の間仕切りに使用するカーテンを示し、（ａ）は、その正面図を（ｂ）は、一部断面の側面図を（ｃ）はの吸気ホースを通すために形成する切り込みの使用説明図を示す。
【図７】本発明の間仕切りに使用するカーテンのラップ代の使用形態の説明図で、（ａ）は、カーテンレールを直列に繋ぐ場合、（ｂ）は、壁に突き当てて使用する場合を示す。
【図８】本発明の無菌室に使用するクリーンユニットを示し、（ａ）は、その正面図を（ｂ）は、その側面図を示す。
【符号の説明】
１  無菌室
２  間仕切り
３  クリーンユニット
２０  伸縮式柱
２１  カーテン
２２  カーテンレール
【図１】
2004180724.tif 000003
【図２】
2004180724.tif 000004
【図３】
2004180724.tif 000005
【図４】
2004180724.tif 000006
【図５】
2004180724.tif 000007
【図６】
2004180724.tif 000008
【図７】
2004180724.tif 000009
【図８】
2004180724.tif 000010